(57)【要約】【課題】保存されている多くの短尺撮影済みフィルムを接合を容易に行えるようにして、フィルムスキャナーによる画像読取り処理の高速化を図ると共に、デジタル化を終えた撮影済みフィルムの保存性を向上させること。【解決手段】短尺の複数の撮影済みフィルムを接合してロール状の撮影済みフィルムのファイルを作成する装置であって、前記撮影済みフィルムと同幅で、且つ前記撮影済みフィルムの画像領域外の両側域に対向する面に接着剤を塗布した長尺の支持部材と、前記支持部材に短尺の前記撮影済みフィルムを順次送出するフィルム送出手段と、前記支持部材に送出された前記撮影済みフィルムを接着する接着手段とを有することを特徴とする撮影済みフィルムのファイル作成装置。【選択図】図１
2008180776.tif 000002
【特許請求の範囲】
【請求項１】
短尺の複数の撮影済みフィルムを接合してロール状の撮影済みフィルムのファイル作成装置であって、
前記撮影済みフィルムと同幅で、且つ前記撮影済みフィルムの画像領域外の両側域に対向する面に接着剤を塗布した長尺の支持部材と、
前記支持部材に短尺の前記撮影済みフィルムを順次送出するフィルム送出手段と、
前記支持部材に送出された前記撮影済みフィルムを接着する接着手段と
を有することを特徴とする撮影済みフィルムのファイル作成装置。
【請求項２】
前記支持部材は、接着剤が塗布されている面と接着剤が塗布されていない面の境界に、スリットを有するものであることを特徴とする請求項１に記載の撮影済みフィルムのファイル作成装置。
【請求項３】
前記支持部材のスリットに沿って、前記支持部材の接着材が塗布されていない面を有する領域を分離する分離手段を有することを特徴とする請求項２に記載の撮影済みフィルムのファイル作成装置。
【請求項４】
前記支持部材を介して連結された複数の前記撮影済みフィルムをロール状にするロール作成手段を有することを特徴とする請求項１〜３のいずれか１項に記載の撮影済みフィルムのファイル作成装置。
【請求項５】
前記支持部材の接着剤が塗布されている面の裏面が、筆記層であることを特徴とする請求項１〜４のいずれか１項に記載の撮影済みフィルムのファイル作成装置。
【請求項６】
短尺の複数の撮影済みフィルムを接合してロール状の撮影済みフィルムのファイルを作成する装置であって、
前記撮影済みフィルムと同幅で、且つ前記撮影済みフィルムの画像外の両側域に対向する面に接着剤が塗布された長尺の支持部材に、短尺の前記撮影済みフィルムを順次送出し、
前記支持部材に前記撮影済みフィルムを接着して長尺の撮影済みフィルムを形成し、
形成された長尺の撮影済みフィルムをロール状にする
ことを特徴とする撮影済みフィルムのファイル作成方法。
【請求項７】
前記支持部材は、接着剤が塗布されている面と接着剤が塗布されていない面の境界に、スリットを有するものであることを特徴とする請求項６に記載の撮影済みフィルムのファイル作成方法。
【請求項８】
前記支持部材の接着剤が塗布されている面の裏面が、筆記層であることを特徴とする請求項６〜７のいずれか１項に記載の撮影済みフィルムのファイル作成方法。
【発明の詳細な説明】
【技術分野】
【０００１】
本発明は、撮影済みフィルムを保存するファイルの作成装置、及びファイルの作成方法に関する。
【背景技術】
【０００２】
銀塩技術に基づく写真は、映像の世界において、長期にわたり主流となっていた。即ち、多くの人々は、アナログ式のカメラと銀塩フィルムを使用して膨大な写真撮影をしてきた。
【０００３】
撮影されたフィルムの多くは、現像処理がなされた後、所定のコマ数毎に切断され、対応するケースに収納されていることが多い。即ち、現在では、このようなケースが撮影済みフィルムを保存するファイルとなっていると言える。
【０００４】
ところが最近、デジタル技術の進歩により、映像の世界においても、デジタル式のカメラが多用されるようになり、その結果、撮影された画像は各種記憶媒体に画像データファイルとして保存されるようになった。
【０００５】
このようなデジタル技術に基づく画像ファイルは、上述した撮影済みフィルムとそれらを収納するケースとからなる画像ファイルに比較して、保存性や取り扱いの点で格段に優れている。
【０００６】
従って、アナログ式のカメラで撮影して銀塩フィルムで保存している画像を、デジタル化して保存したいという要望は極めて高くなっている。
【０００７】
このような要望に対応するためには、既に所定のコマ数毎、例えば６駒毎に切断されケースに収納されている撮影済みフィルムを、ケースから取りだし、順次、フィルムスキャナに装填して画像のデジタル化処理を行うことが必要である。
【０００８】
しかしながら、このような処理形態は、多量のフィルムを取り扱う場合には処理速度の点で問題が大きい。
【０００９】
処理速度を上げるためには、複数の短尺の撮影済みフィルムを接合することによって長尺となし、１巻のロールをとしてまとめた後、このロールをフィルムスキャナに装填して、自動的にデジタル化の処理を進行させる方法が有効である。
【００１０】
このような視点から、現像後の撮影済みフィルムを短尺とせずに、長尺のまま顧客に提供する方法も存在したが（例えば、特許文献１参照。）、その割合は極めて小さいものであった。
【００１１】
また、従来、写真現像所のプリント工程において、短尺のフィルムをスプライサと称される装置により接続して、長尺のフィルムのロールを作成することが知られている。
【００１２】
作成された前記長尺のネガフィルムのロール中の各画像はスキャナにより順次読み取られる（例えば、特許文献２参照。）。
【００１３】
しかしながら、このような工程で接続される短尺フィルムとは、現像後の１本のフィルムを意味しており、例えば４駒、６駒毎に断裁された短尺フィルムとは全く異なるものである。
【００１４】
このような現像後の１本のフィルムは、先端及び後端部には画像のない領域が多く存在することから、４駒、６駒毎に断裁された短尺フィルムの場合と異なり、接続も容易なものである。
【００１５】
また、長尺化されたフィルムを、画像読取りを終えた後に、再度短尺化して、従来のケースに収容して保存する形式ではなく、なるべく小さなスペースで保存したいという要求も高い。
【特許文献１】特開平３−１７５４４８号公報
【特許文献２】特開２００３−３３０１２３号公報
【発明の開示】
【発明が解決しようとする課題】
【００１６】
本発明は上述したような状況に鑑みてなされたものである。
【００１７】
その目的は、保存されている多くの短尺撮影済みフィルムを接合を容易に行えるようにして、フィルムスキャナーによる画像読取り処理の高速化を図ると共に、デジタル化を終えた撮影済みフィルムの保存性を向上させることにある。
【課題を解決するための手段】
【００１８】
上記課題は、以下の発明を実現することにより達成される。
１．短尺の複数の撮影済みフィルムを接合してロール状の撮影済みフィルムのファイル作成装置であって、
前記撮影済みフィルムと同幅で、且つ前記撮影済みフィルムの画像領域外の両側域に対向する面に接着剤を塗布した長尺の支持部材と、
前記支持部材に短尺の前記撮影済みフィルムを順次送出するフィルム送出手段と、
前記支持部材に送出された前記撮影済みフィルムを接着する接着手段と
を有することを特徴とする撮影済みフィルムのファイル作成装置。
２．前記支持部材は、接着剤が塗布されている面と接着剤が塗布されていない面の境界に、スリットを有するものであることを特徴とする１項に記載の撮影済みフィルムのファイル作成装置。
３．前記支持部材のスリットに沿って、前記支持部材の接着材が塗布されていない面を有する領域を分離する分離手段を有することを特徴とする２項に記載の撮影済みフィルムのファイル作成装置。
４．前記支持部材を介して連結された複数の前記撮影済みフィルムをロール状にするロール作成手段を有することを特徴とする１〜３項のいずれか１項に記載の撮影済みフィルムのファイル作成装置。
５．前記支持部材の接着剤が塗布されている面の裏面が、筆記層であることを特徴とする１〜４項のいずれか１項に記載の撮影済みフィルムのファイル作成装置。
６．短尺の複数の撮影済みフィルムを接合してロール状の撮影済みフィルムのファイルを作成する装置であって、
前記撮影済みフィルムと同幅で、且つ前記撮影済みフィルムの画像外の両側域に対向する面に接着剤が塗布された長尺の支持部材に、短尺の前記撮影済みフィルムを順次送出し、
前記支持部材に前記撮影済みフィルムを接着して長尺の撮影済みフィルムを形成し、
形成された長尺の撮影済みフィルムをロール状にする
ことを特徴とする撮影済みフィルムのファイル作成方法。
７．前記支持部材は、接着剤が塗布されている面と接着剤が塗布されていない面の境界に、スリットを有するものであることを特徴とする６項に記載の撮影済みフィルムのファイル作成方法。
８．前記支持部材の接着剤が塗布されている面の裏面が、筆記層であることを特徴とする６〜７項のいずれか１項に記載の撮影済みフィルムのファイル作成方法。
【発明の効果】
【００１９】
本発明により、保存されている短尺の撮影済みフィルムの長尺化が容易になることから、フィルムスキャナによる画像読み取り処理が高速化、簡易化される。
【００２０】
その結果、撮影済みフィルムによって保存している膨大なアナログ画像をデジタル画像とし、デジタルファイルとして保存する処理が容易になる。
【００２１】
また、処理後の撮影済みフィルムを保存する場合の保存性が向上する。例えば、缶等の容器に保存することにより画像の劣化が低減され、また、保存に必要なスペースが節約される。
【００２２】
また、撮影済みフィルムの画像領域外の支持部材に筆記層が設けられるので、各画像に対応する注記等の記載が可能となり画像の検索や管理が容易になる。
【発明を実施するための最良の形態】
【００２３】
以下、本発明の実施の形態を図を基にして説明する。
【００２４】
図１は、撮影済みフィルムＦのファイル作成装置Ｄの概念図である。
【００２５】
また、図２は、加圧加熱部３０の近傍を説明する図であり、図３は、ケースの概念図である。
【００２６】
撮影済みフィルムのファイル作成装置Ｄは、支持部材Ｂ、支持部材装填部１０、撮影済みフィルム送出部２０、接着部３０、分離部４０、分離支持部材巻き取り部５０、撮影済みフィルム巻き取り部６０、画像読取部７０等から構成されている。
【００２７】
支持部材装填部１０はロール状の支持部材Ｂの元巻きを装填する手段であり、前記支持部材Ｂの先端はガイドローラ１１を経由して、搬送ローラ１２、１３に挟持される。
【００２８】
撮影済みフィルム送出部２０は、前記搬送ローラ１２、１３をはじめ複数のローラによって搬送および発進停止される支持部材Ｂに、図３に示すようなケースＪからローラ２１により短尺の撮影済みフィルムＦを取り出して送り出すフィルム送出手段である。
【００２９】
なお、図３に示すケースＪは、一般にネガケースと称され、従来から広く使用されている公知の製品である。
【００３０】
送り出された撮影済みフィルムＦの先端が予め定められている端部停止位置３１に到達すると支持部材Ｂの搬送は停止する。
【００３１】
停止している撮影済みフィルムＦの先端部が位置する下方には、加圧加熱ローラ３２が備えられている。
【００３２】
図２に示すように、加圧加熱ローラ３２は、対向ローラ３３の間にある支持部材Ｂと撮影済みフィルムＦとを加圧加熱しながら搬送して接着する接着手段である接着部３０の備えるローラである。
【００３３】
前記加圧加熱ローラ３２は、点線位置に上昇することにより、対向ローラ３３との間にある前記撮影済みフィルムＦの画像領域の外側の縁面（両側域Ｒと称す）と支持部材Ｂとを挟持して加圧加熱を開始する。
【００３４】
加圧加熱の開始と共に支持部材Ｂの搬送が再開され、対向ローラ３３との間にある前記撮影済みフィルムＦの両側域Ｒと支持部材Ｂとは、支持部材の両側域Ｒに塗布されている熱溶融タイプの接着剤により接着し、一体となって矢印ｘの方向に移動する。
【００３５】
接着された撮影済みフィルムＦの後端が端部停止位置３１に到達すると、搬送が停止され、加圧加熱ローラ３２は再び下降する。
【００３６】
従って、このように停止した撮影済みフィルムＦの後端は、次に送り出される撮影済みフィルムＦの先端と接することになる。
【００３７】
両側域Ｒにて撮影済みフィルムＦを接着した支持部材Ｂは、搬送ローラ１２、１３の出口で、支持部材Ｂを分離支持部材巻き取り部５０、撮影済みフィルム巻き取り部６０の二つの巻き取り部に向けて分離する分離手段である分離部４０にて、接着材が塗布されていない面を有する領域（分離支持部材Ｃと称す）が両側域Ｒから分離される。
【００３８】
図４（ａ）、（ｂ）は、支持部材Ｂの構成を説明する図である。
【００３９】
図に示すように、支持部材Ｂは撮影済みフィルムＦと同幅、例えば３５ｍｍ幅のテープ状の部材である。使用される素材は、例えば、厚さ８０〜１５０μｍポリプロピレンが挙げられるが、適宜に選択されるものである。
【００４０】
支持部材Ｂの撮影済みフィルムＦの両側域Ｒと接する部分Ａには接着剤が塗布されている。
【００４１】
なお、本実施の形態では熱溶融型の接着剤を採用しているが粘着材を使用することも可能であるが、この場合には加圧加熱ローラ３２を加圧ローラに変更する。
【００４２】
その他、支持部材Ｂに接着剤を塗布することなく、撮影済みフィルムＦと支持部材Ｂとを熱溶着することも可能であるが、加熱による撮影済みフィルムＦへの影響が大きい。
【００４３】
また、図４（ｂ）に示す断面図にあるように、支持部材Ｂには、接着剤が塗布されていない面を有する領域（分離支持部材Ｃ）、即ち、撮影済みフィルムＦの画像領域が接する領域と、接着剤が塗布されている領域Ａとを容易に分離できるように、二つの領域の間にＶ状の切り込みを入れた溝（スリットＳと称す）が設けられている。
【００４４】
このＶ字状の切り込みは、支持部材Ｂの一方の面から背面に向かって切り込まれている。切り込み深さは、支持部材Ｂの物理的特性、厚さ等を基に決定される。
【００４５】
なお、本実施の形態では、スリットＳとして上述のＶ字状の切り込みを基に説明をしているが、接着剤が塗布されていない面を有する領域（分離支持部材Ｃ）、接着剤が塗布されている領域Ａとを容易に分離できるものであればどのようなものでもよい。
【００４６】
例えば、ミシン目を入れたもの、あるいは、両面からＶ字状の切り込みを入れたものでもよい。
【００４７】
また、支持部材Ｂの接着剤が塗布されている面の裏面Ｄは、ペン等の筆記具による筆記が可能な筆記層となっている。
【００４８】
分離部４０にて分離された分離支持部材Ｃは、分離支持部材巻き取り部５０に巻き取られる。
【００４９】
一方、支持部材Ｂの接着剤が塗布されている領域Ａにより接合されている撮影済みフィルムＦは、ロール作成手段である撮影済みフィルム巻き取り部６０に巻き取られ、撮影済みフィルムのファイルとなる。
【００５０】
本実施の形態では、前記撮影済みフィルム巻き取り部６０の上流に画像読取部７０を設け、分離支持部材Ｃが除去された支持部材Ｂにより接合されている撮影済みフィルムＦの画像を読み取るように構成している。
【００５１】
即ち、画像読取部７０にて読み取られる撮影済みフィルムＦの画像領域には、読み取り上の障害物、又は読み取り精度を低下させる物が存在しないことから、好ましい画像読取りが実現される。
【００５２】
以上説明したように、本発明により、複数の短尺撮影済みフィルムは、支持部材であるテープの上に前後するフィルムの先端と後端とがつき合わされた後、両側域Ｒでテープに順次接着される。
【００５３】
このようにテープに接着された複数の短尺撮影済みフィルムは、１本の長尺フィルムとなる。しかしながら、撮影済みフィルムとテープは重なった状態にあることから、撮影済みフィルムの画像読取りに際し、テープの存在が問題になる。
【００５４】
本発明は、予め画像領域に重なる領域を接着領域から容易に分離できるように、テープ面上にスリットをいれておき、長尺化された撮影済みフィルムを巻き取って、ロール化をする前に画像領域に重なる領域を取り除くようにしたものである。
【００５５】
図５は、長尺化されたロール状の撮影済みフィルムの構成を示す図である。
【００５６】
図に示すように撮影済みフィルムＦは、支持部材Ｂから分離支持部材Ｃが取り除かれた部分により接合されている。なお、本図では、撮影済みフィルムの両側域Ｒにある孔の記載が省略されている。
【００５７】
このように両側部Ｒに支持部材Ｂを有する撮影済みフィルムＦは、ロール状に巻かれる際に、支持部材Ｂの存在により重なり合うフィルム面が強く接することが無いことから、画像の傷発生が防止されるという効果をもたらす。
【００５８】
以上述べたように、長尺化されたロール状の撮影済みフィルムのファイルは、画像のデジタル化のための読み取り処理の処理速度向上に効果的なものである。
【００５９】
また、多量の撮影済みフィルムを缶等の収容物に収容できるようして、撮影済みフィルムが外光、湿度から保護し、画像の退行を抑制する効果と共に、保存ファイルの省スペース化の効果ももたらすものである。
【００６０】
なお、上記の実施の形態においては、３５ｍｍ幅の撮影済みフィルムを例に挙げ説明したが、存在する他の幅サイズのフィルム、例えば６０ｍｍ幅の撮影済みフィルムについても適用可能なものであることは言うまでもない。
【図面の簡単な説明】
【００６１】
【図１】撮影済みフィルムファイル作成装置の概念図である。
【図２】加圧加熱ローラの近傍を説明する図である。
【図３】ネガケースの概念図である。
【図４】支持部材の構成を説明する図である。
【図５】長尺化されたロール状の撮影済みフィルムの構成を示す図である。
【符号の説明】
【００６２】
２０  フィルム送出部（フィルム送出手段）
３０  接着部（接着手段）
３２  加圧加熱ローラ
６０  撮影済みフィルム巻き取り部（ロール作成手段）
Ｂ  支持部材
Ｃ  分離支持部材
Ｄ  ファイル作成装置
Ｆ  撮影済みフィルム
Ｒ  両側域
Ｓ  スリット
【図１】
2008180776.tif 000003
【図２】
2008180776.tif 000004
【図３】
2008180776.tif 000005
【図４】
2008180776.tif 000006
【図５】
2008180776.tif 000007